(57)【要約】  ペンシル内に収容された伸縮部材と、不活性ガス用の非導電性管状部材を備える単極電気外科用ブレードアセンブリとを含む、アルゴンビーム機能を有する単極伸縮電気外科用ペンシル。
2020508810.tif 000002
【特許請求の範囲】
【請求項１】
アルゴンビーム機能を有する単極伸縮電気外科用ペンシルであって、
第１および第２の端部を有する、チャネルを備えるハンドピース部材と、
前記チャネル内に収容された第１の非導電性中空管と、
前記チャネル内に収容された導電性中空管と、
第１および第２の端部を有する中空伸縮部材であって、前記中空伸縮部材の前記第２の端部が前記ハンドピース部材内に収容されている中空伸縮部材と、
前記第１の非導電性中空管と摺動自在に係合する第２の導電性中空管であって、前記中空伸縮部材内に収容された第２の非導電性中空管と、
前記中空伸縮部材および前記導電性中空管の少なくとも一部内に収容された中実導電性円筒部材と、
前記中空伸縮部材の前記第１の端部内に配置された電気外科用ブレードアセンブリであって、対向する細長い縁部を備える対向する平坦側部および鋭利な切断端を有する非導電性平坦部材、前記対向する平坦側部のうちの少なくとも１つの側部に位置する導電層であって、前記非導電性平坦部材の前記対向する細長い縁部のうちの少なくとも１つに隣接する導電層、ならびに内部に収容された中空筒状開口および内部に収容されたスロットを有する非導電性管状部材であって、前記スロットが前記導電層の少なくとも一部の上に配置されており、前記第２の非導電性中空管が前記非導電性管状部材に接続されている非導電性管状部材を含む、電気外科用ブレードアセンブリと
を備える、単極伸縮電気外科用ペンシル。
【請求項２】
前記非導電性管状部材における前記スロットが、前記電気外科用ブレードアセンブリの前記非導電性平坦部材の前記対向する平坦側部の少なくとも一部の上にも配置されている、請求項１に記載の単極伸縮電気外科用ペンシル。
【請求項３】
前記非導電性管状部材の前記中空筒状開口が、前記中空筒状開口を通して供給された不活性ガスが前記電気外科用ブレードアセンブリの前記導電層の少なくとも一部と接触することになるように配置されている、請求項１に記載の単極伸縮電気外科用ペンシル。
【請求項４】
前記第１の非導電性中空管および前記導電性中空管を前記ハンドピース部材の前記チャネル内に保持するための少なくとも１つの支持部材をさらに備える、請求項１に記載の単極伸縮電気外科用ペンシル。
【請求項５】
前記第２の非導電性中空管および前記中実導電性円筒部材を前記中空伸縮部材内に保持するための少なくとも１つの支持部材をさらに備える、請求項１に記載の単極伸縮電気外科用ペンシル。
【請求項６】
前記ハンドピース部材の前記第２の端部に接続された回転部材をさらに備える、請求項１に記載の単極伸縮電気外科用ペンシル。
【請求項７】
前記電気外科用ブレードアセンブリの前記非導電性管状部材がセラミックを含む、請求項１に記載の単極伸縮電気外科用ペンシル。
【請求項８】
前記電気外科用ブレードアセンブリの前記非導電性平坦部材がセラミックを含む、請求項１に記載の単極伸縮電気外科用ペンシル。
【請求項９】
前記電気外科用ブレードアセンブリの前記非導電性管状部材の少なくとも一部が、前記中空伸縮部材の前記第１の端部の外側に配置されている、請求項１に記載の単極伸縮電気外科用ペンシル。
【請求項１０】
前記導電性中空管がその外面上に絶縁体を含む、請求項１に記載の単極伸縮電気外科用ペンシル。
【請求項１１】
前記電気外科用ブレードアセンブリの前記導電層が、前記非導電性平坦部材の前記対向する平坦側部のうちの１つまたは複数に位置する閉ループ状部分を形成する、請求項１に記載の単極伸縮電気外科用ペンシル。
【請求項１２】
前記導電層が、前記非導電性平坦部材の対向する平坦側部の両方の上にあり、前記対向する平坦側部のそれぞれに位置する前記細長い閉ループ部分を結合するように前記対向する平坦側部のそれぞれの前記対向する細長い縁部の一部を被覆する、請求項１１に記載の単極伸縮電気外科用ペンシル。
【請求項１３】
アルゴンビーム機能を有する単極伸縮電気外科用ペンシルであって、
第１および第２の端部を有する、チャネルを備えるハンドピース部材と、
前記チャネル内に収容された第１の非導電性中空管と、
第１および第２の端部を有する中空伸縮部材であって、前記中空伸縮部材の前記第２の端部が前記ハンドピース部材内に収容されている中空伸縮部材と、
前記第１の非導電性中空管と摺動自在に係合する第２の非導電性中空管であって、前記中空伸縮部材内に収容された第２の非導電性中空管と、
前記中空伸縮部材の前記第１の端部内に配置された電気外科用ブレードアセンブリであって、対向する細長い縁部を備える対向する平坦側部および鋭利な切断端を有する非導電性平坦部材、前記対向する平坦側部のうちの少なくとも１つの側部に位置する導電層であって、前記非導電性平坦部材の前記対向する細長い縁部のうちの少なくとも１つに隣接する導電層、ならびに内部に収容された中空筒状開口および内部に収容されたスロットを有する非導電性管状部材であって、前記スロットが前記導電層の少なくとも一部の上に配置されており、前記第２の非導電性中空管が前記非導電性管状部材に接続されている非導電性管状部材を含む、電気外科用ブレードアセンブリと
を備える、単極伸縮電気外科用ペンシル。
【請求項１４】
前記非導電性管状部材における前記スロットが、前記電気外科用ブレードアセンブリの前記非導電性平坦部材の前記対向する平坦側部の少なくとも一部の上にも配置されている、請求項１３に記載の単極伸縮電気外科用ペンシル。
【請求項１５】
前記非導電性管状部材の前記中空筒状開口が、前記中空筒状開口を通して供給された不活性ガスが前記電気外科用ブレードアセンブリの前記導電層の少なくとも一部と接触することになるように配置されている、請求項１３に記載の単極伸縮電気外科用ペンシル。
【請求項１６】
前記第１の非導電性中空管を前記ハンドピース部材の前記チャネル内に保持するための少なくとも１つの支持部材をさらに備える、請求項１３に記載の単極伸縮電気外科用ペンシル。
【請求項１７】
前記第２の非導電性中空管を前記伸縮部材内に保持するための少なくとも１つの支持部材をさらに備える、請求項１３に記載の単極伸縮電気外科用ペンシル。
【請求項１８】
前記導電層が、前記非導電性平坦部材の前記対向する細長い縁部のうちの少なくとも１つの少なくとも一部をさらに被覆する、請求項１３に記載の単極伸縮電気外科用ペンシル。
【請求項１９】
第１および第２の端部を有する、チャネルを備えるハンドピース部材と、
第１および第２の端部を有する中空伸縮部材であって、前記中空伸縮部材の前記第２の端部が前記ハンドピース部材内に収容されている中空伸縮部材と、
前記中空伸縮部材の前記第１の端部内に配置された電気外科用ブレードであって、対向する細長い縁部を備える対向する平坦側部および鋭利な切断先端を有する非導電性平坦部材、ならびに前記対向する平坦側部のうちの少なくとも１つに位置する導電層であって、前記切断先端に隣接する前記少なくとも１つの対向する平坦側部の少なくとも一部を被覆することなく前記非導電性平坦部材の前記対向する細長い縁部のうちの少なくとも１つに隣接する導電層を含む、電気外科用ブレードと、
前記電気外科用ブレードを前記中空伸縮部材の少なくとも一部内に保持するための支持部材と
を備える、単極伸縮電気外科用ペンシル。
【請求項２０】
前記導電層が、前記非導電性平坦部材の前記対向する細長い縁部のうちの少なくとも１つの少なくとも一部をさらに被覆する、請求項１４に記載の単極伸縮電気外科用ペンシル。
【発明の詳細な説明】
【技術分野】
【０００１】
関連出願の相互参照
本出願は、その全体が参照により本明細書に組み込まれる、２０１７年３月５日出願の米国特許出願第１５／４５０，０１１号の優先権を主張する。本出願はまた、その全体が参照により本明細書に組み込まれる、２０１６年５月５日出願の特許出願第１５／１４７，７３０号および２０１６年７月１５日出願の仮特許出願第６２／３６２，９６８号にも関する。
【０００２】
本発明は一般に、アルゴンビーム機能を有する電気外科用ブレードを含む電気外科用ブレードを対象とする。より詳細には、本発明は、アルゴンビーム機能を有する単極伸縮電気外科用ペンシルであって、第１および第２の端部を有する、チャネルを備えるハンドピース部材と、チャネル内に収容された第１の非導電性中空管およびチャネル内に収容された導電性中空管と、第１および第２の端部を有する中空伸縮部材であって、中空伸縮部材の第２の端部がハンドピース部材内に収容されている中空伸縮部材と、第１の非導電性中空管と摺動自在に係合する第２の非導電性中空管であって、中空伸縮部材内に収容された第２の非導電性中空管と、中空伸縮部材および導電性中空管の少なくとも一部内に収容された中実導電性円筒部材と、中空伸縮部材の第１の端部内に配置された電気外科用ブレードアセンブリであって、対向する細長い縁部を備える対向する平坦側部および鋭利な切断端を有する非導電性平坦部材、対向する平坦側部のうちの少なくとも１つに位置する導電層であって、非導電性平坦部材の対向する細長い縁部のうちの少なくとも１つに隣接する導電層、ならびに中空筒状開口およびスロットを有する非導電性管状部材であって、スロットが導電層の少なくとも一部の上に配置されており、第２の非導電性中空管が非導電性管状部材に接続されている非導電性管状部材を含む、電気外科用ブレードアセンブリとを含む、単極伸縮電気外科用ペンシルに関する。
【背景技術】
【０００３】
典型的な電気外科用ペンシルは、電気外科手術中に切断および凝固を行うためのアクティブ電極、ならびに患者の皮膚への取付けのための接着剤を通常含むリターン電極として機能する、電極ブレードを使用する。電気外科用ペンシルが作動されると、アクティブ電極とリターン電極との間の距離がかなり大きい状態で、ＲＦエネルギがアクティブ電極から患者の身体を通ってリターン電極に循環する。電気外科手術は、ＲＦ発生器、および電極を備えるハンドピースを使用して、機能、すなわち凝固か切断かに応じて様々な電圧（２０００〜１０，０００ボルト）で高周波交流無線周波（ＲＦ）電流の入力を与える。切断では、連続ＲＦ高電圧伝導から発生した熱が、組織細胞の小さい部分を気化および破裂させる蒸気ポケットを生成することができ、その結果、切開が行われる。発生した熱のために、組織への側方損傷が大きく、組織壊死の可能性が高い。凝固では、電圧は通常、切断モードよりも低く、より遅い加熱プロセスがより少ない熱をもたらす。その結果、蒸気ポケットは形成されず、したがって組織は大部分が無傷のままであるが、細胞および血管が接触点で破壊され封止される。
【０００４】
電気外科手術中にアルゴンビーム凝固器を用いることも一般的である。アルゴンビーム凝固（ＡＢＣ）では、イオン化アルゴンガス（プラズマ）の有向ビームによって組織にプラズマが印加されて、均一で浅い凝固表面を生じ、それによって失血を止める。しかし、イオン化アルゴンガスの利用を用いて、アルゴンビームで強化された切断も行い得る。
【０００５】
現在のところ、電気外科手術は切断のための最良の方法であることが多く、アルゴンビーム凝固は手術中の出血停止のための最良の方法であることが多い。外科医は、通常、手
術中に起きていること、また手術部位における切断、または組織の切開、または止血など、手術の特定の時点で達成する必要があることに応じて、アルゴンビーム凝固モードと電気外科手術モードとを切り替える必要がある。
【０００６】
しかし、外科医が現在利用可能な外科用器具および装置は、これらの２つの方法を外科的処置中に切り替えることを必要とするので、外科医または使用者が、手術部位における切断および出血停止に用いられる最良の方法を、これらを別々に用いることができることに加えて、一緒に、または同時に利用することを可能とする外科用装置または器具が必要である。切断のための鋭利な縁部を備える電気外科用ブレード、ならびにカプセル化のためのＲＦおよびアルゴンビーム機能を有する、アルゴンビーム機能を有する単極伸縮電気外科用ペンシルが、この必要性を満たすことになる。本発明に関して説明する単極伸縮電気外科用ペンシルは、使用者または外科医が、ペンシルの伸縮部材およびペンシルの伸縮部材内に配置された電気外科用ブレードを伸長させることにより、視認性の向上に伴ってより容易かつ効率的に手術部位にアクセスすることを可能とする。本発明に関して説明する単極伸縮電気外科用ペンシルはまた、使用者または外科医が、手術部位における正確な切断、ならびに手術部位に位置する組織領域の切断および凝固を行うことができながらも、手術部位から煙および／またはデブリを排出することも可能とする。
【０００７】
こうした外科用装置または器具は、外科医または使用者がモードまたは方法を切り替えることなく組織の切断と凝固の両方を同時に行い、それによって手術時間を短縮し、組織への側方損傷を軽減または排除することを可能とすることによって、外科医または使用者が手術の効率と精度の両方を高めることを可能とすることになる。加えて、煙排出と共に組織の切断と凝固の両方を同時に行うことは、煙および粒子を吸い込まないように外科医およびスタッフを守り、また外科医または使用者が、手術部位がはっきりと見える前に手術部位において止血するために中断してモードを切り替える必要なく、処置中に手術部位をよりはっきりと見て精度を確保することも可能とすることになる。
【発明の概要】
【０００８】
本発明は、アルゴンビーム機能を有する単極伸縮電気外科用ペンシルであって、第１および第２の端部を有する、チャネルを備えるハンドピース部材と、チャネル内に収容された第１の非導電性中空管と、チャネル内に収容された導電性中空管と、第１および第２の端部を有する中空伸縮部材であって、中空伸縮部材の第２の端部がハンドピース部材内に収容されている中空伸縮部材と、第１の非導電性中空管と摺動自在に係合する第２の非導電性中空管であって、中空伸縮部材内に収容された第２の非導電性中空管と、中空伸縮部材および導電性中空管の少なくとも一部内に収容された中実導電性円筒部材と、中空伸縮部材の第１の端部内に配置された電気外科用ブレードアセンブリであって、対向する細長い縁部を備える対向する平坦側部および鋭利な切断端を有する非導電性平坦部材、対向する平坦側部のうちの少なくとも１つに位置する導電層であって、非導電性平坦部材の対向する細長い縁部のうちの少なくとも１つに隣接する導電層、ならびに中空筒状開口およびスロットを有する非導電性管状部材であって、スロットが電気外科用ブレードアセンブリの導電層の少なくとも一部の上に配置されており、中空伸縮部材内の第２の非導電性中空管が電気外科用ブレードアセンブリの非導電性管状部材に接続されている非導電性管状部材を含む、電気外科用ブレードアセンブリとを含む、単極伸縮電気外科用ペンシルを対象とする。
【０００９】
本発明の単極伸縮電気外科用ペンシルはまた、第１の非導電性中空管および導電性中空管をハンドピース部材のチャネル内に保持するための少なくとも１つの支持部材と、第２の非導電性中空管および中実導電性円筒部材を中空伸縮部材内に保持するための少なくとも１つの支持部材とを含んでもよい。単極伸縮電気外科用ペンシルはまた、ハンドピース部材の第２の端部に接続された回転部材をも含んでもよい。さらに、ハンドピース部材の
チャネル内に収容された導電性中空管は、その外面を被覆する絶縁体を有してもよい。
【００１０】
本発明の単極伸縮電気外科用ペンシルにおける電気外科用ブレードアセンブリの導電層は、非導電性平坦部材の対向する平坦側部のうちの１つまたは複数に位置する閉ループ状部分を形成してもよい。さらに、導電層の閉ループ部分が非導電性平坦部材の対向する平坦側部の両方に位置するとき、それらは、非導電性平坦部材の対向する側部上の２つの閉ループ部分が結合されるように、非導電性平坦部材の対向する細長い平坦側部のうちの１つの少なくとも一部をさらに被覆してもよい。
【００１１】
電気外科用ブレードアセンブリの非導電性管状部材におけるスロットは、非導電性平坦部材の少なくとも一部の上にも配置されていてもよく、非導電性管状部材の中空筒状開口は、非導電性管状部材の中空筒状開口を通して供給された不活性ガスが電気外科用ブレードアセンブリの導電層の少なくとも一部と接触することになるように配置されていることが好ましい。電気外科用ブレードアセンブリの非導電性管状部材はセラミックを含んでもよく、非導電性管状部材の少なくとも一部は、中空伸縮部材の第１の端部の外側に配置されていてもよい。加えて、電気外科用ブレードアセンブリの非導電性平坦部材もセラミックを含んでもよい。
【００１２】
別の例示的な実施形態では、本発明のアルゴンビーム機能を有する単極伸縮電気外科用ペンシルは、第１および第２の端部を有する、チャネルを備えるハンドピース部材と、チャネル内に収容された第１の非導電性中空管と、第１および第２の端部を有する中空伸縮部材であって、第２の端部がハンドピース部材内に収容されている中空伸縮部材と、第１の非導電性中空管と摺動自在に係合する第２の非導電性中空管であって、中空伸縮部材内に収容された第２の非導電性中空管と、中空伸縮部材の第１の端部内に配置された電気外科用ブレードアセンブリであって、対向する細長い縁部を備える対向する平坦側部および鋭利な切断端を有する非導電性平坦部材、対向する平坦側部のうちの少なくとも１つに位置する導電層であって、非導電性平坦部材の対向する細長い縁部のうちの少なくとも１つに隣接する導電層、ならびに中空筒状開口およびスロットを有する非導電性管状部材であって、スロットが電気外科用ブレードアセンブリの導電層の少なくとも一部の上に配置されており、第２の非導電性中空管が非導電性管状部材に接続されている非導電性管状部材を含む、電気外科用ブレードアセンブリとを含んでもよい。アルゴンビーム機能を有する単極伸縮電気外科用ペンシルはまた、第１の非導電性中空管をハンドピース部材のチャネル内に保持するための少なくとも１つの支持部材と、第２の非導電性中空管を伸縮部材内に保持するための少なくとも１つの支持部材とを含んでもよい。さらに、電気外科用ブレードアセンブリの導電層は、非導電性管状部材の中空筒状開口を通して供給された不活性ガスが導電層の少なくとも一部と接触することになるように、非導電性平坦部材の対向する細長い縁部のうちの少なくとも１つの少なくとも一部を被覆することが好ましい。
【００１３】
本発明のさらに別の実施形態は、アルゴンビーム機能を有しない単極伸縮電気外科用ペンシルであって、第１および第２の端部を有する、チャネルを備えるハンドピース部材と、第１および第２の端部を有する中空伸縮部材であって、第２の端部がハンドピース部材内に収容されている中空伸縮部材と、中空伸縮部材の第１の端部内に配置された電気外科用ブレードであって、対向する細長い縁部を備える対向する平坦側部および切断先端を有する非導電性平坦部材、ならびに対向する平坦側部のうちの少なくとも１つに位置する導電層であって、切断先端に隣接する対向する平坦側部の少なくとも一部を被覆することなく非導電性平坦部材の対向する細長い縁部のうちの少なくとも１つに隣接する導電層を含む、電気外科用ブレードと、電気外科用ブレードを中空伸縮部材内に保持するための支持部材とを含む、単極伸縮電気外科用ペンシルを対象とする。
【図面の簡単な説明】
【００１４】
添付図面と併せて本発明を以下に説明し、図面において同様の符号は同様の要素を示す。
【００１５】
【図１】図１は、本発明のアルゴンビーム機能を有する単極伸縮電気外科用ペンシルの第１の例示的な実施形態の透視図であり、電気外科用ペンシルのハンドピース部材から分離された伸縮部材、および電気外科用ペンシルの内部要素を示す。
【図２】図２は、図１に示す図と同じであるが、アルゴンビーム機能を有する単極伸縮電気外科用ペンシルを１８０度回転させて示してある。
【図３】図３は、本発明のアルゴンビーム機能を有する単極伸縮電気外科用ペンシルの第２の例示的な実施形態の拡大部分透視図であり、電気外科用ペンシルのハンドピース部材から分離された伸縮部材、および電気外科用ペンシルの内部要素を示す。
【図４】図４は、本発明のアルゴンビーム機能を有する単極伸縮電気外科用ペンシルの第３の例示的な実施形態の透視図であり、電気外科用ペンシルのハンドピース部材から分離された伸縮部材、および電気外科用ペンシルの内部要素を示す。
【図５】図５は、図４に示す図と同じであるが、アルゴンビーム機能を有する単極伸縮電気外科用ペンシルを１８０度回転させて示してある。
【図６】図６は、本発明のアルゴンビーム機能を有する単極伸縮電気外科用ペンシルの第４の例示的な実施形態の拡大部分図であり、電気外科用ペンシルのハンドピース部材から分離された伸縮部材、および電気外科用ペンシルの内部要素を示す。
【図７】図７は、アルゴンビーム機能を有しない単極伸縮電気外科用ペンシルの例示的な実施形態の透視図であり、電気外科用ペンシルのハンドピース部材から分離された伸縮部材、および電気外科用ペンシルの内部要素を示す。
【図８】図８は、図７に示す図と同じであるが、アルゴンビーム機能を有しない単極伸縮電気外科用ペンシルを１８０度回転させて示してある。
【図９】図９は、図７の拡大部分図である。
【発明を実施するための形態】
【００１６】
アルゴンビーム機能を有する単極伸縮電気外科用ペンシルの例示的な実施形態は、使用者または外科医が切断および／もしくは凝固のために鋭利な電極を個別に使用すること、切断および／もしくは凝固のためにアルゴンビームを個別に使用すること、または切断および／もしくは凝固のために鋭利な電極およびアルゴンビームを同時に使用することを可能とする。使用者または外科医が組織を切断および／または凝固することを可能とする、アルゴンビーム機能を有しない単極伸縮電気外科用ペンシルの例示的な実施形態も提示される。
【００１７】
図１および図２は、本発明のアルゴンビーム機能を有する単極伸縮電気外科用ペンシル１０の第１の例示的な実施形態の透視図を示し、電気外科用ペンシルのハンドピース部材１２から分離された伸縮部材２０、および電気外科用ペンシル１０の内部要素を示す。アルゴンビーム機能を有する単極電気外科用ペンシル１０は、第１の端部１６および第２の端部１８を有する、チャネル１４を備えるハンドピース部材１２と、第１の端部２２および第２の端部２４を有する中空伸縮部材２０であって、中空伸縮部材２０の第２の端部２４が、ペンシル１０の使用時にハンドピース部材１２内に収容されるようにハンドピース部材１２の第１の端部１６に挿入される、中空伸縮部材２０とを含む。アルゴンビーム機能を有する単極伸縮電気外科用ペンシル１０を伸縮自在にするために、第１の非導電性中空管状部材２６および導電性中空管状部材２８がハンドピース部材１２内に位置し、第２の非導電性中空管３０および中実導電性円筒部材３２が中空伸縮部材２０内に位置し、それにより、第１の非導電性中空管状部材２６は第２の非導電性中空管状部材３０と伸縮自在に係合することができ、導電性中空管状部材２６は中実導電性円筒部材３２と伸縮自在に係合することができる。図１および図２に示す実施形態では、第２の非導電性中空管３０は、第１の非導電性中空管２６と摺動自在に係合するように、第１の非導電性中空管２
６よりも小さい直径を有し、第１の非導電性中空管２６内に収まる。さらに、中実導電性円筒部材３２は、導電性中空管２８と摺動自在に係合するように、導電性中空管２８よりも小さい直径を有し、導電管２８内に収まる。
【００１８】
アルゴンビーム機能を有する単極伸縮電気外科用ペンシル１０はまた、その全体が参照により本明細書に組み込まれる、第１５／１４７，７３０号に図示および説明されるような電気外科用ブレードアセンブリをも含む。図１に戻ると、アルゴンビーム機能を有する単極伸縮電気外科用ペンシル１０は、中空伸縮部材２０の第１の端部２２内に配置された電気外科用ブレードアセンブリ３４であって、対向する細長い縁部４０を備える対向する平坦側部３８および鋭利な切断端／先端４２を有する非導電性平坦部材３６と、対向する平坦側部３８のうちの少なくとも１つの側部に位置する導電層４４であって、非導電性平坦部材３６の対向する細長い縁部４０のうちの少なくとも１つに隣接する導電層４４と、中空筒状開口４８およびスロット５０を有する非導電性管状部材４６であって、スロット５０が導電層４４の少なくとも一部の上に配置されており、第２の非導電性中空管３０が非導電性管状部材４６に接続されている非導電性管状部材４６とを含む、電気外科用ブレードアセンブリ３４を含む。電気外科用ブレードアセンブリ３４は、図３に示す電気外科用ブレードアセンブリ１３４と同じであり、したがって、電気外科用ブレード３４の構成要素は図３によりよく見ることができる。
【００１９】
アルゴンビーム機能を有する単極伸縮電気外科用ペンシル１０はまた、第１の非導電性中空管２６および導電性中空管２８をハンドピース１２のチャネル１４内に保持するための少なくとも１つの支持部材５２をも含んでもよい。アルゴンビーム機能を有する単極伸縮電気外科用ペンシル１０はまた、第２の非導電性中空管３０および中実導電性円筒部材３２を中空伸縮部材２０内に保持するための少なくとも１つの支持部材５４をも含んでもよい。さらに、アルゴンビーム機能を有する単極伸縮電気外科用ペンシル１０はまた、電気外科用ペンシル１０の使用中に、電気外科用ペンシル１０への抵抗、および煙排出のためにペンシルの端部に取り付けられた真空管（図示せず）のねじれを排除または低減するためにハンドピース部材１２の第２の端部１８に接続された、回転部材５６をも含んでもよい。
【００２０】
電気外科用ブレードアセンブリ３４の非導電性管状部材４６における中空筒状開口４８は、中空筒状開口４８を通して供給されたアルゴンガスなどの不活性ガスが電気外科用ブレードアセンブリ３４の導電層４４の少なくとも一部と接触することになるように配置されている。導電層４４の少なくとも一部の上に配置されていることに加えて、非導電性管状部材４６におけるスロット５０は、非導電性平坦部材３６の対向する平坦側部３８の少なくとも一部の上にも配置されていてもよい。電気外科用ブレードアセンブリ３４の非導電性管状部材４６の少なくとも一部は、中空伸縮部材２０の第１の端部２２の外側に配置されていることが好ましい。
【００２１】
電気外科用ブレードアセンブリ３４の導電層４４は、非導電性平坦部材３６の対向する平坦側部３８の一方または両方に位置する閉ループ状部分を形成してもよい。加えて、導電層４４の閉ループ状部分が非導電性平坦部材３６の対向する平坦側部３８の両方に位置するとき、それらは、閉ループ状部分が非導電性平坦部材３６の上部の上で結合されるように、非導電性平坦部材３６の対向する細長い縁部４０の一部をも被覆してもよい。電気外科用ブレードアセンブリ３４の非導電性平坦部材３６および非導電性管状部材４６は、セラミック材料を含んでもよい。加えて、ハンドピース部材１２内の導電性中空管２８は、その外面上に絶縁体を有してもよい。
【００２２】
図３は、本発明のアルゴンビーム機能を有する単極伸縮電気外科用ペンシル１００の第２の例示的な実施形態の拡大部分透視図であり、電気外科用ペンシルのハンドピース部材
１１２から分離された伸縮部材１２０、および電気外科用ペンシルの内部要素を示す。図１および図２に示す実施形態のように、アルゴンビーム機能を有する単極電気外科用ペンシル１００は、第１の端部１１６および第２の端部１１８を有する、チャネル１１４を備えるハンドピース部材１１２と、第１の端部１２２および第２の端部１２４を有する中空伸縮部材１２０であって、中空伸縮部材１２０の第２の端部１２４が、ペンシル１１０の使用時にハンドピース部材１１２内に収容されるようにハンドピース部材１１２の第１の端部１１６に挿入される、中空伸縮部材１２０とを含む。アルゴンビーム機能を有する単極伸縮電気外科用ペンシル１１０を伸縮自在にするために、第１の非導電性中空管状部材１２６および導電性中空管状部材１２８がハンドピース部材１１２内に位置し、第２の非導電性中空管１３０および中実導電性円筒部材１３２が中空伸縮部材１２０内に位置し、それにより、第１の非導電性中空管状部材１２６は第２の非導電性中空管状部材１３０と伸縮自在に係合することができ、導電性中空管状部材１２６は中実導電性円筒部材１３２と伸縮自在に係合することができる。しかし、図３に示す実施形態では、第１の非導電性中空管１２６は、第２の非導電性中空管１３０と摺動自在に係合するように、第２の非導電性中空管１３０よりも小さい直径を有し、第２の非導電性中空管１３０内に収まる。中実導電性円筒部材１３２は図１および図２と同じであり、導電性中空管１２８と摺動自在に係合するように、導電性中空管１２８よりも小さい直径を有し、導電管１２８内に収まる。
【００２３】
アルゴンビーム機能を有する単極伸縮電気外科用ペンシル１００はまた、図１および図２に示してあるもののような電気外科用ブレードアセンブリ１３４をも含む。アルゴンビーム機能を有する単極伸縮電気外科用ペンシル１００は、中空伸縮部材１２０の第１の端部１２２内に配置された電気外科用ブレードアセンブリ１３４であって、対向する細長い縁部１４０を備える対向する平坦側部１３８および鋭利な切断端／先端１４２を有する非導電性平坦部材１３６と、対向する平坦側部１３８のうちの少なくとも１つの側部に位置する導電層１４４であって、非導電性平坦部材１３６の対向する細長い縁部１４０のうちの少なくとも１つに隣接する導電層１４４と、中空筒状開口１４８およびスロット１５０を有する非導電性管状部材１４６であって、スロット１５０が導電層１４４の少なくとも一部の上に配置されており、第２の非導電性中空管１３０が非導電性管状部材１４６に接続されている非導電性管状部材１４６とを含む、電気外科用ブレードアセンブリ１３４を含む。
【００２４】
電気外科用ブレードアセンブリ１３４の非導電性管状部材１４６における中空筒状開口１４８は、中空筒状開口１４８を通して供給されたアルゴンガスなどの不活性ガスが電気外科用ブレードアセンブリ１３４の導電層１４４の少なくとも一部と接触することになるように配置されている。導電層１４４の少なくとも一部の上に配置されていることに加えて、非導電性管状部材１４６におけるスロット１５０は、非導電性平坦部材１３６の対向する平坦側部１３８の少なくとも一部の上にも配置されていてもよい。電気外科用ブレードアセンブリ１３４の非導電性管状部材１４６の少なくとも一部は、中空伸縮部材１２０の第１の端部１２２の外側に配置されていることが好ましい。
【００２５】
図１および図２を参照して先に述べたように、図３に示す電気外科用ブレードアセンブリ１３４の導電層１４４は、非導電性平坦部材１３６の対向する平坦側部１３８の一方または両方に位置する閉ループ状部分を形成してもよい。加えて、導電層１４４の閉ループ状部分が非導電性平坦部材１３６の対向する平坦側部１３８の両方に位置するとき、それらは、閉ループ状部分が非導電性平坦部材１３６の上部の上で結合されるように、非導電性平坦部材１３６の対向する細長い縁部１４０の一部をも被覆してもよい。電気外科用ブレードアセンブリ１３４の非導電性平坦部材１３６および非導電性管状部材１４６は、セラミック材料を含んでもよい。加えて、ハンドピース部材１１２内の導電性中空管１２８は、その外面上に絶縁体を有してもよい。
【００２６】
アルゴンビーム機能を有する単極伸縮電気外科用ペンシル１００はまた、第１の非導電性中空管１２６および導電性中空管１２８をハンドピース１１２のチャネル１１４内に保持するための少なくとも１つの支持部材１５２をも含んでもよい。アルゴンビーム機能を有する単極伸縮電気外科用ペンシル１００はまた、第２の非導電性中空管１３０および中実導電性円筒部材１３２を中空伸縮部材１２０内に保持するための少なくとも１つの支持部材１５４をも含んでもよい。電気外科用ブレードアセンブリ１３４の非導電性管状部材１４６は、支持部材１５４に収まっていてもよい。あるいは、電気外科用ブレードアセンブリ１３４が、支持部材１５４から取り外し、支持部材１５４に再び取り付けることができる別個の取外し可能なユニットを形成するように、第２の非導電性中空管１３０が支持部材１５４に収まっていてもよい。さらに、アルゴンビーム機能を有する単極伸縮電気外科用ペンシル１００はまた、電気外科用ペンシル１００の使用中に、電気外科用ペンシル１００への抵抗、および煙排出のためにペンシルの端部に取り付けられた真空管（図示せず）のねじれを排除または低減するためにハンドピース部材１１２の第２の端部１１８に接続された、回転部材１５６をも含んでもよい。
【００２７】
図４および図５は、本発明のアルゴンビーム機能を有する単極伸縮電気外科用ペンシル２００の第３の例示的な実施形態の透視図を示し、電気外科用ペンシル２００のハンドピース部材２１２から分離された伸縮部材２２０、および電気外科用ペンシル２００の内部要素を示す。アルゴンビーム機能を有する単極伸縮電気外科用ペンシル２００は、第１および第２の端部２１６，２１８を有する、チャネル２１４を備えるハンドピース部材２１２と、チャネル２１４内に収容された第１の非導電性中空管２２６と、第１および第２の端部２２２，２２４を有する中空伸縮部材２２０であって、第２の端部２２４がハンドピース部材２１２内に収容されている中空伸縮部材２２０と、第１の非導電性中空管２２６と摺動自在に係合する第２の非導電性中空管２３０であって、中空伸縮部材２２０内に収容された第２の非導電性中空管２３０と、中空伸縮部材２２０の第１の端部２２２内に配置された電気外科用ブレードアセンブリ２３４であって、対向する細長い縁部２４０を備える対向する平坦側部２３８および鋭利な切断端２４２を有する非導電性平坦部材２３６、対向する平坦側部２３８のうちの少なくとも１つに位置する導電層２４４であって、非導電性平坦部材２３６の対向する細長い縁部２４０のうちの少なくとも１つに隣接する導電層２４４、ならびに中空筒状開口２４８およびスロット２５０を有する非導電性管状部材２４６であって、スロット２５０が電気外科用ブレードアセンブリ２３４の導電層２４４の少なくとも一部の上に配置されており、第２の非導電性中空管２３０が非導電性管状部材２４６に接続されている非導電性管状部材２４６を含む、電気外科用ブレードアセンブリ２３４とを含む。アルゴンビーム機能を有する単極伸縮電気外科用ペンシル２００はまた、第１の非導電性中空管２２６をハンドピース部材２１２のチャネル２１４内に保持するための少なくとも１つの支持部材２５２と、第２の非導電性中空管２３０を中空伸縮部材２２０内に保持するための少なくとも１つの支持部材２５４とを含んでもよい。さらに、電気外科用ブレードアセンブリ２３４の導電層２４４は、非導電性管状部材２４６の中空筒状開口２４８を通して供給された不活性ガスが導電層２４４の少なくとも一部と接触することになるように、非導電性平坦部材２３６の対向する細長い縁部２４０のうちの少なくとも１つの少なくとも一部を被覆することが好ましい。
【００２８】
導電層２４４の少なくとも一部の上に配置されていることに加えて、非導電性管状部材２４６におけるスロット２５０は、非導電性平坦部材２３６の対向する平坦側部２３８の少なくとも一部の上にも配置されていてもよい。電気外科用ブレードアセンブリ２３４の非導電性管状部材２４６の少なくとも一部は、中空伸縮部材２２０の第１の端部２２２の外側に配置されていることが好ましい。電気外科用ブレードアセンブリ２３４の導電層２４４は、非導電性平坦部材２３６の対向する平坦側部２３８の一方または両方に位置する閉ループ状部分を形成してもよい。加えて、導電層２４４の閉ループ状部分が非導電性平
坦部材２３６の対向する平坦側部２３８の両方に位置するとき、それらは、閉ループ状部分が非導電性平坦部材２３６の上部の上で結合されるように、非導電性平坦部材２３６の対向する細長い縁部２４０の一部をも被覆してもよい。電気外科用ブレードアセンブリ２３４の非導電性平坦部材２３６および非導電性管状部材４６は、セラミック材料を含んでもよい。
【００２９】
アルゴンビーム機能を有する単極伸縮電気外科用ペンシル２００を伸縮自在にするために、中空伸縮部材２２０の第２の端部２２４は、ペンシル２１０の使用時にハンドピース部材２１２内に収容されるようにハンドピース部材２１２の第１の端部２１６に挿入される。さらに、第１の非導電性中空管状部材２２６はハンドピース部材２１２内に位置し、第２の非導電性中空管２３０は中空伸縮部材２２０内に位置し、それにより、第１の非導電性中空管状部材２２６は第２の非導電性中空管状部材２３０と伸縮自在に係合することができる。図４および図４に示す実施形態では、第２の非導電性中空管２３０は、第１の非導電性中空管２２６と摺動自在に係合するように、第１の非導電性中空管２２６よりも小さい直径を有し、第１の非導電性中空管２２６内に収まる。
【００３０】
アルゴンビーム機能を有する単極伸縮電気外科用ペンシル２００はまた、電気外科用ペンシル２００の使用中に、電気外科用ペンシル２００への抵抗、および煙排出のためにペンシルの端部に取り付けられた真空管（図示せず）のねじれを排除または低減するためにハンドピース部材２１２の第２の端部２１８に接続された、回転部材２５６をも含んでもよい。
【００３１】
図６は、本発明のアルゴンビーム機能を有する単極伸縮電気外科用ペンシル３００の第４の例示的な実施形態の拡大部分図であり、電気外科用ペンシル３００のハンドピース部材３１２から分離された伸縮部材３２０、および電気外科用ペンシル３００の内部要素を示す。図４および図５に示す実施形態のように、アルゴンビーム機能を有する単極電気外科用ペンシル３００は、第１の端部３１６および第２の端部３１８を有する、チャネル３１４を備えるハンドピース部材３１２と、第１の端部３２２および第２の端部３２４を有する中空伸縮部材３２０であって、中空伸縮部材３２０の第２の端部３２４が、ペンシル３００の使用時にハンドピース部材３１２内に収容されるようにハンドピース部材３１２の第１の端部３１６に挿入される、中空伸縮部材３２０とを含む。アルゴンビーム機能を有する単極伸縮電気外科用ペンシル３００を伸縮自在にするために、第１の非導電性中空管状部材３２６がハンドピース部材３１２内に位置し、第２の非導電性中空管３３０が中空伸縮部材３２０内に位置し、それにより、第１の非導電性中空管状部材３２６は第２の非導電性中空管状部材３３０と伸縮自在に係合することができる。しかし、図６に示す実施形態では、第１の非導電性中空管３２６は、第２の非導電性中空管３３０と摺動自在に係合するように、第２の非導電性中空管３３０よりも小さい直径を有し、第２の非導電性中空管３３０内に収まる。
【００３２】
アルゴンビーム機能を有する単極伸縮電気外科用ペンシル３００はまた、図４および図５に示してあるもののような電気外科用ブレードアセンブリ３３４をも含む。アルゴンビーム機能を有する単極伸縮電気外科用ペンシル３００は、中空伸縮部材３２０の第１の端部３２２内に配置された電気外科用ブレードアセンブリ３３４であって、対向する細長い縁部３４０を備える対向する平坦側部３３８および鋭利な切断端／先端３４２を有する非導電性平坦部材３３６と、対向する平坦側部３３８のうちの少なくとも１つの側部に位置する導電層３４４であって、非導電性平坦部材３３６の対向する細長い縁部３４０のうちの少なくとも１つに隣接する導電層３４４と、中空筒状開口３４８およびスロット３５０を有する非導電性管状部材３４６であって、スロット３５０が導電層３４４の少なくとも一部の上に配置されており、第２の非導電性中空管３３０が非導電性管状部材３４６に接続されている非導電性管状部材３４６とを含む、電気外科用ブレードアセンブリ３３４を
含む。
【００３３】
電気外科用ブレードアセンブリ３３４の非導電性管状部材３４６における中空筒状開口３４８は、中空筒状開口３４８を通して供給されたアルゴンガスなどの不活性ガスが電気外科用ブレードアセンブリ３３４の導電層３４４の少なくとも一部と接触することになるように配置されている。導電層３４４の少なくとも一部の上に配置されていることに加えて、非導電性管状部材３４６におけるスロット３５０は、非導電性平坦部材３３６の対向する平坦側部３３８の少なくとも一部の上にも配置されていてもよい。電気外科用ブレードアセンブリ３３４の非導電性管状部材３４６の少なくとも一部は、中空伸縮部材３２０の第１の端部３２２の外側に配置されていることが好ましい。
【００３４】
図４および図５を参照して先に述べたように、図６に示す電気外科用ブレードアセンブリ３３４の導電層３４４は、非導電性平坦部材３３６の対向する平坦側部３３８の一方または両方に位置する閉ループ状部分を形成してもよい。加えて、導電層３４４の閉ループ状部分が非導電性平坦部材３３６の対向する平坦側部３３８の両方に位置するとき、それらは、閉ループ状部分が非導電性平坦部材３３６の上部の上で結合されるように、非導電性平坦部材３３６の対向する細長い縁部３４０の一部をも被覆してもよい。電気外科用ブレードアセンブリ３３４の非導電性平坦部材３３６および非導電性管状部材３４６は、セラミック材料を含んでもよい。加えて、ハンドピース部材３１２内の導電性中空管３２８は、その外面上に絶縁体を有してもよい。
【００３５】
アルゴンビーム機能を有する単極伸縮電気外科用ペンシル３００はまた、第１の非導電性中空管３２６をハンドピース３１２のチャネル３１４内に保持するための少なくとも１つの支持部材３５２をも含んでもよい。アルゴンビーム機能を有する単極伸縮電気外科用ペンシル３００はまた、第２の非導電性中空管３３０を中空伸縮部材３２０内に保持するための少なくとも１つの支持部材３５４をも含んでもよい。電気外科用ブレードアセンブリ３３４の非導電性管状部材３４６は、支持部材３５４に収まっていてもよい。あるいは、電気外科用ブレードアセンブリ３３４が、支持部材３５４から取り外し、支持部材３５４に再び取り付けることができる別個の取外し可能なユニットを形成するように、第２の非導電性中空管３３０が支持部材３５４に収まっていてもよい。さらに、アルゴンビーム機能を有する単極伸縮電気外科用ペンシル３００はまた、電気外科用ペンシル３００の使用中に、電気外科用ペンシル３００への抵抗、および煙排出のためにペンシルの端部に取り付けられた真空管（図示せず）のねじれを排除または低減するためにハンドピース部材３１２の第２の端部３１８に接続された、回転部材３５６をも含んでもよい。
【００３６】
先に説明した図１〜図６に見られるように、非導電性管状部材４６，１４６，２４６，３４６の中空筒状開口４８，１４８，２４８，３４８は、アルゴンガスなどの不活性ガスが非導電性管状部材４６，１４６，２４６，３４６中を、また導電層４４，１４４，２４４，３４４の少なくとも一部の上を通過して、電極が身体／患者と接触したときにイオン化ガス（プラズマ）を発生させることを可能にし、それによってリターン電極が身体／患者に取り付けられた状態で閉回路を作成して、電気外科用ブレードアセンブリ３４，１３４，２３４，３３４でのアルゴンビーム切断および／または凝固が可能になる。
【００３７】
図７は、アルゴンビーム機能を有しない単極伸縮電気外科用ペンシル４００の例示的な実施形態の透視図であり、電気外科用ペンシル４００のハンドピース部材４１２から分離された伸縮部材４２０、および電気外科用ペンシル４００の内部要素を示す。図８は、図７に示す図と同じであるが、単極伸縮電気外科用ペンシル４００を１８０度回転させて示してあり、図９は図７の拡大部分図である。
【００３８】
アルゴンビーム機能を有しない単極伸縮電気外科用ペンシル４００は、第１および第２
の端部４１６，４１８を有する、チャネル４１４を備えるハンドピース部材４１２と、第１および第２の端部４２２，４２６を有する中空伸縮部材４２０であって、第２の端部４２４がハンドピース部材４１２内に収容されている中空伸縮部材４２０と、中空伸縮部材４２０の第１の端部４２２内に配置された電気外科用ブレード４３３であって、対向する細長い縁部４４０を備える対向する平坦側部４３８および切断先端４４２を有する非導電性平坦部材４３６、ならびに対向する平坦側部４３８のうちの少なくとも１つに位置する導電層４４４であって、切断先端４４２に隣接する対向する平坦側部４３８の少なくとも一部を被覆することなく非導電性平坦部材４３６の対向する細長い縁部４４０のうちの少なくとも１つに隣接する導電層４４４を含む、電気外科用ブレード４３３と、電気外科用ブレード４３３を中空伸縮部材４２０内に保持するための支持部材４５４とを含む。
【００３９】
単極伸縮電気外科用ペンシル４００を伸縮自在にするために、中空伸縮部材４２０の第２の端部４２４は、ペンシル２１０の使用時にハンドピース部材４１２内に収容されるようにハンドピース部材４１２の第１の端部４１６に挿入される。
【００４０】
本明細書における本発明の例示的な実施形態についての詳細な説明は、本発明の様々な例示的な実施形態を示す。これらの例示的な実施形態およびモードは、当業者が本発明を実施することを可能とするために十分詳細に説明されており、本発明の範囲、適用性、または構成をいかなる形でも限定することを意図するものではない。むしろ、以下の開示は、例示的な実施形態およびモードの実施と、当業者に知られているかまたは明らかな任意の同等のモードまたは実施形態の両方を教示することを意図するものである。さらに、含まれる全ての例は、例示的な実施形態およびモードの非限定的な例示であり、同様に、当業者に知られているかまたは明らかな任意の同等のモードまたは実施形態に役立つものである。
【００４１】
具体的に記載されていないものに加えて、本発明の実施において用いられる構造、配置、用途、割合、要素、材料、または構成部品の他の組合せおよび／または修正は、本発明の範囲から逸脱することなく、変更するか、そうでない場合には、特定の環境、製造仕様、設計パラメータ、または他の動作要件に特に適合させることができ、また本開示に包含されることを意図するものである。
【００４２】
特に断りのない限り、明細書および特許請求の範囲における単語および語句が、一般に認められている一般的な意味、または当業者によって用いられる通常の慣習的な意味を与えられることを本出願人は意図している。これらの意味が異なる場合、明細書および特許請求の範囲における単語および語句は可能な限り広い一般的な意味を与えられるべきである。任意の他の特別な意味が任意の単語または語句について意図される場合、本明細書はその特別な意味を明確に記述および定義することにする。
【図１】
2020508810.tif 000003
【図２】
2020508810.tif 000004
【図３】
2020508810.tif 000005
【図４】
2020508810.tif 000006
【図５】
2020508810.tif 000007
【図６】
2020508810.tif 000008
【図７】
2020508810.tif 000009
【図８】
2020508810.tif 000010
【図９】
2020508810.tif 000011
【国際調査報告】
2020508810.tif 000012